(57)【要約】【課題】  天ぷら火災等を自動的かつ的確に消火できる簡易な構成の自動消火装置を提供する。【解決手段】  レンジ３０近傍の壁面３１の適所に設置される本体部２に、上下方向に回動可能な収容部３を設ける。収容部３は上端に開口３ｂを有し、可燃性素材の中空体に消火剤を充填して形成された消火剤充填部材２０を収容する。収容部３の上方前面に突出した突出片５と、この先端と収容部３の上端を連結する可燃性の線状部材６と、この線状部材６を支持して収容部３を上向き状態に保持する支持手段７とを有する熱感知機構４を設ける。天ぷら火災等の異常な火炎による熱で線状部材６が燃えると、収容部３の上向き状態の保持が解除され、収容部３が下方に回動し、下面３ｃが本体部の一部２ａに当接して係止される。開口３ｂから消火剤充填部材２０が天ぷら鍋３２内に転がり落ち、可燃性素材の中空体が燃えて消火剤が散布され、火炎が消火される。【選択図】  図１
2005334222.tif 000002
【特許請求の範囲】
【請求項１】
レンジ近傍の壁面の適所に設置される本体部と、この本体部に連結された熱感知機構とを備えた自動消火装置であって、前記本体部は、可燃性素材の中空体に消火剤を充填して形成された消火剤充填部材を収容し、かつ前記壁面に対して上下方向に回動可能な、上端に開口を有する収容部を具備し、この収容部が前記熱感知機構に連結されて上向き状態に保持されており、この上向き状態の保持が解除されて前記収容部が下方に回動したときに該収容部を下方に傾斜した所定角度で係止させる係止手段を有し、
前記熱感知機構によって、異常な火炎による熱が感知されると、前記上向き状態の保持が解除され、前記収容部が下方に回動して前記係止手段によって所定角度で係止され、該収容部内の前記消火剤充填部材が前記開口から転がり落ちることを特徴とする自動消火装置。
【請求項２】
前記係止手段が、前記収容部が所定角度だけ下方に傾斜したときに、前記収容部の下面の少なくとも一部が前記壁面に当接するように、前記収容部の外観形状を規制することで達成されることを特徴とする請求項１に記載の自動消火装置。
【請求項３】
前記熱感知機構が、前記本体部の上方前面に突設された突出片と、この突出片の先端と前記収容部の上端を連結する可燃性の線状部材と、この線状部材を支持して前記収容部の前記上向き状態を保持する支持手段とを有して構成され、前記異常な火炎による熱で前記線状部材が燃えることで、前記上向き状態の保持が解除されることを特徴とする請求項１又は２に記載の自動消火装置。
【請求項４】
前記収容部を伸縮自在の構成にしたことを特徴とする請求項１〜３のいずれか１項に記載の自動消火装置。
【請求項５】
請求項１〜４のいずれか１項に記載の自動消火装置に使用可能な前記消火剤充填部材。
【発明の詳細な説明】
【技術分野】
【０００１】
本発明は、自動消火装置に係り、特に家庭用のレンジで天ぷら火災等が発生した場合に自動的に消火し、或いは初期消火を補助することのできる自動消火装置に関する。
【背景技術】
【０００２】
従来、家庭用レンジで天ぷら火災等が発生した場合に自動的に消火する方法としては、電力を利用したものが多く、電源を必要とし、かつ構成が複雑である。また、いずれも噴射ノズルから消火剤を噴射する方式なので、通常の手動式消火器同様に消火剤が散乱し、或いは天ぷら油等が飛び散って周辺を汚してしまうという欠点があった（特許文献１及び２参照）。
【０００３】
電力を使用しない自動消火器としては、天井から懸吊する支線を繋いだ消火剤入り袋を二つに開く容器に納め、針金で天井に保持拘束し、拘束手段にテグスを併用し、にぎり部に形状記憶合金を架けた鋏の刃をテグス仕掛けし、該可燃容器を天井に拘束し温度が常温から上昇すると形状記憶合金の応力で鋏がテグスを切断し容器が開き、消火剤入り袋が直下の発火点上に降下懸吊され、火炎熱で袋が開き消火剤が散布され消火する天井に取り付ける自動消火器が提案されている（特許文献３参照）。
【０００４】
【特許文献１】実開昭６３−１７４８５８号公報
【特許文献２】特開平６−２５４１７５号公報
【特許文献３】実開平８−１６１号公報
【発明の開示】
【発明が解決しようとする課題】
【０００５】
しかし、上記実開平８−１６１号公報に示される自動消火器は、天井に取り付ける構成なので、最近のシステムキッチン等で汎用されているレンジフードが設けられている場合には不向きである。また、各種機能部材が露出して設けられているので、油等で汚れて硬化してしまう可能性があり、その場合には、消火剤入り袋を収納した容器が開かないことも想定される。さらに、実際の天ぷら火災等の場合には、火炎によって煽られてしまい、消火剤入り袋が天ぷら鍋等の発火点上に的確に降下懸吊されないことも考えられる。
【０００６】
そこで、本発明者らは、電力を使用しない構成で的確に天ぷら火災等を消火でき、かつ消火後に周辺を汚すことのない自動消火装置を発案した（特願２００３−２７９３６）。この自動消火装置の一実施形態は、図７に示されるように、レンジ３０近傍の壁面３１の適所に設置される鋼製のハウジング１０２を備える。ハウジング１０２は、図８（Ａ）に示されるように、可燃性の球形状又は円柱形状の中空体に消火剤を充填して形成された消火剤充填部材２０の収容部１０３を有する。ハウジング１０２の前面上部には、熱感知機構１０４が設けられている。熱感知機構１０４は、ハウジング１０２の前面に貫通して突設され、下面の少なくとも一部に切り欠き部を有する筒体１０５と、この筒体１０５の中を挿通され、重り部材１０８に連結される可燃性の線状部材１０６と、この線状部材１０６に連結され、かつ筒体１０５の先端に係止される可燃性の熱感知体１０７とを有する。重り部材１０８は、ハウジング１０２内の収容部１０３とは異なる空間１０２ａを落下するように設けられ、下方には、落下時に重り部材１０８を受けるための重り部材受部１０９が設けられている。ハウジング１０２の前面には、断面略コ字状の舌片１１０が配設され、この舌片１１０は、図８（Ｂ）に示されるように、底部１１１と側部１１２とを有して形成され、収容部１０３の下端開口１０３ａを閉鎖可能に収容部１０３の下方に上下方向に回動可能に取り付けられ、通常は、底部１１１がハウジング１０２の前面の一部を構成している。そして、重り部材１０８が落下すると、側部１１２の上縁１１２ａに重り部材１０８が当接し、舌片１１０が下方に押下される構成になっている。舌片１１０の側部１１２の適所には、舌片１１０をハウジング１０２の前面の一部として保持するためのマグネット１１４が配設されている。ハウジング１０２の下端には、舌片１１０を所定角度（消火剤充填部材２０が転がり易く、かつ天ぷら鍋３２の中に的確に入るような角度）で係止させるための係止部材１１５が突設されている。
【０００７】
このように設置された自動消火装置１０１は、以下のように作動する。すなわち、天ぷら鍋等から生じた火炎の熱により熱感知体１０７及び／又は線状部材１０６が燃えると、重り部材１０８は支えを失って落下し、舌片１１０の側部１１２の上縁１１２ａに当接する。落下する重り部材１０８に舌片１１０が下方に強く押下されると同時に、マグネット１１４による保持が解除され、舌片１１０が下方に傾斜する（図７参照）。それによって、消火剤充填部材２０が下方に転がり、天ぷら鍋３２の中に落下し、消火剤充填部材２０を形成する中空体が燃えて中に充填されている消火剤が散布され、火炎が消火される。
【０００８】
このように、上記自動消火装置１０１は、消火剤充填部材２０を的確に火炎まで導くことができるので、天ぷら火災等を迅速かつ確実に消火することができる。また、消火剤を噴射する場合と異なり、消火剤が散乱し、或いは天ぷら油等が飛び散って周辺を汚してしまうことがない。
【０００９】
しかし、この自動消火装置１０１は、熱感知機構１０４に連動する重り部材１０８を利用して傾斜面を形成し、消火剤充填部材２０を転落させる構成なので、部品点数が多く、製造が煩雑であり、ひいてはコスト高をもたらす。
【００１０】
本発明は、上述の課題を解決するために提案されたもので、その目的は、簡単な構成で、的確に天ぷら火災等を消化でき、消化後に周辺を汚さず、かつ製造が容易でコストパフォーマンスに優れた自動消火装置を提供することである。
【課題を解決するための手段】
【００１１】
本発明者らは、上記課題を解決すべく鋭意検討した結果、本発明の完成に至った。すなわち、本発明の自動消火装置は、請求項１に記載のように、レンジ近傍の壁面の適所に設置される本体部と、この本体部に連結された熱感知機構とを備えた自動消火装置であって、前記本体部は、可燃性素材の中空体に消火剤を充填して形成された消火剤充填部材を収容し、かつ前記壁面に対して上下方向に回動可能な、上端に開口を有する収容部を具備し、この収容部が前記熱感知機構に連結されて上向き状態に保持されており、この上向き状態の保持が解除されて前記収容部が下方に回動したときに該収容部を下方に傾斜した所定角度で係止させる係止手段を有し、前記熱感知機構によって、異常な火炎による熱が感知されると、前記上向き状態の保持が解除され、前記収容部が下方に回動して前記係止手段によって所定角度で係止され、該収容部内の前記消火剤充填部材が前記開口から転がり落ちることを特徴とする。
【００１２】
ここで、「レンジ近傍の壁面の適所」とは、天ぷら火災等によって本発明の自動消火装置の熱感知機構が適切に作動し、かつ収容部の開口から転がり落ちる消火剤充填部材が天ぷら鍋等の中に的確に入るような位置を指す。
なお、消火剤充填部材は、１個又は複数個の適宜の個数でよく、充填される消火剤の量、消火能力等によって適宜選択することができる。また、消火剤充填部材は、球形状又は円柱形状に形成すると、転がり易く、消火を迅速に達成することができ、好適である。
【００１３】
本発明の自動消火装置は部品点数が少なく、簡単な構成なので、容易に製造することができ、コストパフォーマンスに優れる。また、壁面に設置する構成なので、天井に設置する場合に比し、取り付け及び／又は取り外し、掃除等がし易く便利である。消火剤充填部材が収容部内に収容される構成なので、各部材を油汚れ等から保護することができる。収容部が下方に傾斜して消火剤充填部材が転がり落ちる構成なので、消火剤充填部材が適切に案内されて的確に天ぷら鍋等の中に入る。また、消火剤充填部材が天ぷら鍋内に落下する際に、火炎によって可燃性素材の中空体が燃えて消火剤が散布されるので、消火剤を噴射する場合と異なり、消火剤が散乱し、或いは天ぷら油等が飛び散って周辺を汚してしまうことがない。消火剤の使用期限が過ぎた場合には、消火剤充填部材を交換するだけでよく、維持管理が簡便である。
【００１４】
ここで、「収容部が下方に回動したときに該収容部を下方に傾斜した所定角度で係止させる係止手段」は、請求項２に記載のように、前記収容部が所定角度だけ下方に傾斜したときに、前記収容部の下面の少なくとも一部が前記壁面に当接するように、前記収容部の外観形状を規制することで達成することができる。
上記「収容部の下面の少なくとも一部が前記壁面に当接する」は、収容部下面の少なくとも一部が直接壁面に当接する場合のみならず、収容部の下方に壁面に沿って延設された本体部の一部に当接する場合をも包含する。
このように、収容部の外観形状を規制するだけで、収容部を下方に傾斜した所定角度で係止させることができるので、例えば、収容部の下方に適切な角度で剛性部材を突設する場合に比し、部品点数を減らすことができる。
【００１５】
ここで、熱感知機構は、通常は収容部を上向き状態に保持し、異常な火炎による熱によって、この上向き状態の保持が解除される機構であればいずれの構成でもよいが、請求項３に記載の構成とすることができる。すなわち、請求項３に記載の発明は、請求項１又は２に記載の自動消火装置において、前記熱感知機構が、前記本体部の上方前面に突設された突出片と、この突出片の先端と前記収容部の上端を連結する可燃性の線状部材と、この線状部材を支持して前記収容部の前記上向き状態を保持する支持手段とを有して構成され、前記異常な火炎による熱で前記線状部材が燃えることで、前記上向き状態の保持が解除されることを特徴とする。
【００１６】
このような簡単な構成を採用したので、製造が容易でコストパフォーマンスに優れる。通常のときは、線状部材が支持部材で支持されて収容部が上向き状態に保持されている。そして、天ぷら火災のような異常な火炎による熱で線状部材が燃えると、収容部の上向き状態の保持が解除されて収容部が下方に回動する。
【００１７】
本自動消火装置の各部分のサイズは、設置される壁面とレンジ上で使用される天ぷら鍋等との距離に応じて適宜決定される。しかし、例えば、レンジが三口コンロの場合と二口コンロの場合では、壁面から天ぷら鍋等までの距離が異なる。従って、下方に回動したときに収容部の開口が適切な位置になるように調整できれば好ましい。そこで、請求項４に記載のように、前記収容部を伸縮自在の構成にすることができる。
ここで、「伸縮自在の構成」は、例えば、収容部の下端側を固定収容部とし、この固定収容部の上端側の少なくとも一部に重畳部を有し、かつ該固定収容部の内面又は外面を上下方向に摺動可能な可動収容部を設け、これら固定収容部と可動収容部を適切な位置で相互に固定する固定手段を設けることによって達成することができる。
【００１８】
このような構成にしたので、使用前に、消火剤充填部材が天ぷら鍋等の中に確実に落下するように収容部の長さを調整することができる。まず、線状部材を設けず、かつ消火剤充填部材を収容せずに本自動消火装置をレンジ近傍の壁面の適所に設置し、収容部の開口の位置と天ぷら鍋等との距離関係から収容部の開口が適切な位置になるように調整する。その後、通常のように線状部材を設け、消火剤充填部材を収容して使用する。
【００１９】
請求項５に記載の発明は、請求項１〜４のいずれか１項に記載の自動消火装置に使用可能な前記消火剤充填部材である。このように、消火剤充填部材自体を提供することで、一般の人でも容易に消火剤充填部材を適宜交換及び／又は補充することができ、本自動消火装置の維持管理が容易になる。
なお、消火剤は、通常用いられているリン酸アンモニウム、硫酸アンモニウム等の適宜の消火剤を使用できるが、ハロン又はその代替品を使用することもできる。これら消火剤は消火能力が高いので、少量の薬剤及び／又は少数の消火剤充填部材で消火を達成することができる。また半永久的に使用できるので、消火剤充填部材の交換の手間を省くことができ、至便である。
【００２０】
また、本自動消火装置の外観を、果物、野菜、魚介類等の形状又は絵柄に模して形成することができる。例えば、イチゴ、リンゴ、レモン、スイカ等の果物、トマト、ピーマン等の野菜、或いはイカ、サンマ、サザエ等の魚貝類を模して形成することができる。このような手段を講じると、意匠的に優れ、本自動消火装置の主な購買層である主婦の需要を喚起することができる。
【発明の効果】
【００２１】
上述したように、本発明の自動消火装置は部品点数が少なく、簡単な構成なので、容易に製造することができ、コストパフォーマンスに優れる。また、壁面に設置する構成なので、天井に設置する場合に比し、取り付け及び／又は取り外し、掃除等がし易く便利である。消火剤充填部材が収容部内に収容される構成なので、各部材を油汚れ等から保護することができる。収容部が下方に傾斜して消火剤充填部材が転がり落ちる構成なので、消火剤充填部材が適切に案内されて的確に天ぷら鍋等の中に入る。また、可燃性素材の中空体が燃えて消火剤が散布されるので、消火剤を噴射する場合と異なり、消火剤が散乱し、或いは天ぷら油等が飛び散って周辺を汚してしまうことがない。消火剤の使用期限が過ぎた場合には、消火剤充填部材を交換するだけでよく、維持管理が簡便である。
【発明を実施するための最良の形態】
【００２２】
以下、図面を参照して本発明の実施の形態について詳細に説明する。
図１は、本発明の自動消火装置の設置状態を示す側面図である。図２は、本発明の一実施形態を示し、（Ａ）が蓋体を除いた平面図、（Ｂ）が正面図、（Ｃ）が側断面図である。本自動消火装置１は、レンジ３０近傍の壁面３１の適所に設置される本体部２を備える。本体部２は、後述する消火剤充填部材２０の収容部３を具備する。
【００２３】
収容部３は、上端３ａに開口３ｂを有して形成され、図２（Ｃ）に示されるように、下面３ｃが上方に角度α傾斜した外観形状を有している。従って、図３に示されるように、収容部３が下方に回動したとき、下面３ｃが、収容部３の下方に壁面３１に沿って延設された本体部の一部２ａに当接し、収容部３が角度αだけ下方に傾斜した状態で係止される。収容部３の外観形状をこのように規制することによって、請求項２に記載の係止手段が達成されている。なお、収容部３の下方に壁面３１に沿って延設された部分２ａのない構造の場合には、収容部３の下面３ｃが直接壁面３１に当接して係止される（図示せず）。この場合は、本体部２の厚さ等を考慮して角度αを適宜調節する。
収容部３の上方には、開閉自在の蓋体８が設けられており、消火剤充填部材２０をほこり等から保護することができる。
【００２４】
本体部２の上方前面には、熱感知機構４が設けられている。熱感知機構４は、本体部２の上方前面に突設された突出片５と、この突出片５の先端５ａと収容部３の上端３ａとを連結する線状部材６と、この線状部材６を挿通させることによって支持し、収容部３を上向き状態に保持するリング７、リング７を有して構成されている。なお、リング７、リング７が、請求項３に記載の支持手段に相当する。なお、本実施形態では、リング７を２箇所に設けてあるが、これに限定されるものではなく、１箇所でもよい。
線状部材６は、可燃性の丈夫な素材で形成され、例えば、プラスチック製の細いチェーン、建築用のビニル製水糸、タコ糸等を使用することができる。
【００２５】
消火剤充填部材２０は、図４に示されるような球形状（Ａ）又は円柱形状（Ｂ）の可燃性の中空体に消火剤を充填して形成されている。消火剤としては、リン酸アンモニウム、硫酸アンモニウム等、通常消火剤として用いられている薬剤を使用できる。また、ハロン又はその代替品のような薬剤も使用できる。この場合は、消火能力が高いので、少量の薬剤及び／又は少数の消火剤充填部材２０の使用で足りる。
【００２６】
本自動消火装置１は、図１に示されるように、レンジ３０近傍の壁面３１の適所、すなわち、作動されたときに消火剤充填部材２０が天ぷら鍋３２の中に的確に入るような位置に設置される。特に、レンジフード３３の下方に設置すると、換気扇３４の吸引力により、天ぷら鍋３２から生じた火炎による熱を線状部材６が感知し易くなり、より迅速に本自動消火装置１が作動するので好適である。
【００２７】
このように設置された自動消火装置１は、以下のように作動する。
すなわち、天ぷら鍋等から生じた火炎の熱により線状部材６が燃えると、収容部３は支えを失い、上向き状態の保持が解除されて下方に回動し、収容部３の下面３ｃが、収容部３の下方に延設された本体部の一部２ａに当接して角度αだけ下方に傾斜した状態で係止される（図３参照）。それによって、消火剤充填部材２０が下方に転がり、開口３ｂから天ぷら鍋３２の中に落下する。消火剤充填部材２０を形成する中空体が燃えて中に充填されている消火剤が散布され、火炎が消火される。なお、本自動消火装置１と警報器を連動させ、或いは警報器を別途に設けると（図示せず）、火災の発生を家人に迅速に知らせることができ、好適である。
【００２８】
ここで、収容部３を伸縮自在の構成にすることができる。すなわち、図５に示されるように、収容部３の下端側を固定収容部３ｄとする。この固定収容部３ｄの上端側の少なくとも一部に重畳部３ｅを有し、かつ該固定収容部３ｄの内面を上下方向に摺動可能な可動収容部３ｆを設ける。これら固定収容部３ｄと可動収容部３ｆを相互に固定する固定手段（図示せず）を重畳部３ｅに設ける。固定手段としては、例えば、ビス、ネジ、両面テープ、マジックテープ（登録商標）等を採用することができる。なお、固定収容部３ｄの外面を上下方向に摺動可能に可動収容部３ｆを設けることもできる（図示せず）。
この実施形態では、使用前に、まず、線状部材６を設けず、かつ消火剤充填部材２０を収容せずに本自動消火装置１をレンジ３０近傍の壁面３１の適所に設置する。固定収容部３ｄを下方に回動させて、下面３ｃを本体部の一部２ａに当接させる。可動収容部３ｆを摺動させ、開口３ｂの位置と天ぷら鍋３２との距離関係から適切な位置を決定し、固定手段で固定収容部３ｄと可動収容部３ｆを相互に固定する。その後、通常のように線状部材６を設け、消火剤充填部材２０を収容して使用する。
【００２９】
なお、上記実施形態で示した各構成は、本発明の範囲内で種々変更できるものであり、例えば、収容部３の外観形状は、方形ではなく、図６に示されるように、下面３ｃが曲面を有する構成でもよい。また、果物、野菜、魚介類等の形状又は絵柄に模して形成することもできる。突出片５の水平方向に対する角度、長さ等は、適宜変更することができ、或いは可変にすることもできる。
【図面の簡単な説明】
【００３０】
【図１】本発明の自動消火装置の設置状態を示す側面図である。
【図２】本発明の自動消火装置の一実施形態を示し、（Ａ）が蓋体を除いた平面図、（Ｂ）が正面図、（Ｃ）が側断面図である。
【図３】図２の自動消火装置が作動した状態を示す側面図である。
【図４】消火剤充填部材の形状を示す斜視図であり、（Ａ）が球形状、（Ｂ）が円柱形状を示す。
【図５】収容部の伸縮構造の説明図である。
【図６】他実施形態の収容部の外観形状を示す側面図である。
【図７】改良前の自動消火装置の設置状態を示す側面図である。
【図８】図７の自動消火装置の説明図であり、（Ａ）が側断面図、（Ｂ）が舌片の一部の斜視図である。
【符号の説明】
【００３１】
１      自動消火装置
２      本体部
２ａ    本体部の一部
３      収容部
３ａ    上端
３ｂ    開口
３ｃ    下面
３ｄ    固定収容部
３ｅ    重畳部
３ｆ    可動収容部
４      熱感知機構
５      突出片
５ａ    先端
６      線状部材
７      支持手段（リング）
２０    消火剤充填部材
３０    レンジ
３１    壁面
【図１】
2005334222.tif 000003
【図２】
2005334222.tif 000004
【図３】
2005334222.tif 000005
【図４】
2005334222.tif 000006
【図５】
2005334222.tif 000007
【図６】
2005334222.tif 000008
【図７】
2005334222.tif 000009
【図８】
2005334222.tif 000010